(57)【要約】      （修正有）【課題】効率的に下りリンク送信の受信を行う端末装置及び基地局装置が効率的に下りリンク送信を行う方法を提供する。【解決手段】端末装置は、下りリンク制御情報を含むＰＤＣＣＨを受信し、下りリンク制御情報を復号する。下りリンク制御情報の符号化ビットの系列は、スクランブリング系列によってスクランブルされる。スクランブリング系列は、少なくともＰＤＣＣＨのアグリゲーションレベルに基づいて初期化される。【選択図】図４
2019075609.tif 000002
【特許請求の範囲】
【請求項１】
下りリンク制御情報を含むＰＤＣＣＨを受信する受信部と、
下りリンク制御情報を復号する復号部と、を備え、
前記下りリンク制御情報の符号化ビットの系列は、スクランブリング系列によってスクランブルされ、
前記スクランブリング系列は、少なくとも前記ＰＤＣＣＨのアグリゲーションレベルに基づいて初期化される端末装置。
【請求項２】
前記下りリンク制御情報の符号化ビットの系列は行列ｕ’に基づいて生成され、
行列ｕ’の要素ｕｎの一部のそれぞれは、少なくとも前記ＰＤＣＣＨのアグリゲーションレベルに基づいてセットされる請求項１に記載の端末装置。
【請求項３】
下りリンク制御情報を符号化する符号化部と、
下りリンク制御情報を含むＰＤＣＣＨを送信する送信部と、を備え、
前記下りリンク制御情報の符号化ビットの系列は、スクランブリング系列によってスクランブルされ、
前記スクランブリング系列は、少なくとも前記ＰＤＣＣＨのアグリゲーションレベルに基づいて初期化される基地局装置。
【請求項４】
前記下りリンク制御情報の符号化ビットの系列は行列ｕ’に基づいて生成され、
行列ｕ’の要素ｕｎの一部のそれぞれは、少なくとも前記ＰＤＣＣＨのアグリゲーションレベルに基づいてセットされる請求項３に記載の基地局装置。
【請求項５】
端末装置に用いられる通信方法であって、
下りリンク制御情報を含むＰＤＣＣＨを受信し、
下りリンク制御情報を復号し、
前記下りリンク制御情報の符号化ビットの系列は、スクランブリング系列によってスクランブルされ、
前記スクランブリング系列は、少なくとも前記ＰＤＣＣＨのアグリゲーションレベルに基づいて初期化される通信方法。
【請求項６】
基地局装置に用いられる通信方法であって、
下りリンク制御情報を符号化し、
下りリンク制御情報を含むＰＤＣＣＨを送信し、
前記下りリンク制御情報の符号化ビットの系列は、スクランブリング系列によってスクランブルされ、
前記スクランブリング系列は、少なくとも前記ＰＤＣＣＨのアグリゲーションレベルに基づいて初期化される通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE：登録商標）」、または、「Evolved Universal Terrestrial Radio Access : EUTRA」と称する。）が、第三世代パートナーシッププロジェクト（3rd Generation Partnership Project: 3GPP）において検討されている（非特許文献１、２、３、４、５
）。また、３ＧＰＰにおいて、新たな無線アクセス方式（以下、「New Radio（NR）」と
称する。）が検討されている。ＬＴＥでは、基地局装置をｅＮｏｄｅＢ（evolved NodeB
）とも称する。ＮＲでは、基地局装置をｇＮｏｄｅＢとも称する。ＬＴＥ、および、ＮＲでは、端末装置をＵＥ（User Equipment）とも称する。ＬＴＥ、および、ＮＲは、基地局装置がカバーするエリアをセル状に複数配置するセルラー通信システムである。単一の基地局装置は複数のセルを管理してもよい。
【０００３】
ＮＲの下りリンクにおいてＰＤＣＣＨ、および、ＰＤＳＣＨが用いられる（非特許文献１、２、３、４）。
【先行技術文献】
【非特許文献】
【０００４】
【非特許文献１】"3GPP TS 38.211 V1.0.0 (2017-09), NR; Physical channels and modulation", 7th September, 2017.
【非特許文献２】"3GPP TS 38.212 V1.0.0 (2017-09), NR; Multiplexing and channel coding", 7th September, 2017.
【非特許文献３】"3GPP TS 38.213 V1.0.1 (2017-09), NR; Physical layer procedures for control", 7th September, 2017.
【非特許文献４】"3GPP TS 38.214 V1.0.1 (2017-09), NR; Physical layer procedures for data", 7th September, 2017.
【発明の概要】
【発明が解決しようとする課題】
【０００５】
本発明は、端末装置、該端末装置に用いられる通信方法、基地局装置、および、該基地局装置に用いられる通信方法を提供する。本発明の端末装置、該端末装置に用いられる通信方法、基地局装置、および、該基地局装置に用いられる通信方法は、効率的に情報のサイズを決定する方法、および／または、効率的に情報のための変調シンボル／符号化シンボル／リソースエレメントの数を決定する方法を備える。
【課題を解決するための手段】
【０００６】
（１）本発明の態様は、以下のような手段を講じた。すなわち、本発明の第１の態様は、端末装置であって、下りリンク制御情報を含むＰＤＣＣＨを受信する受信部と、下りリンク制御情報を復号する復号部と、を備え、前記下りリンク制御情報の符号化ビットの系列は、スクランブリング系列によってスクランブルされ、前記スクランブリング系列は、少なくとも前記ＰＤＣＣＨのアグリゲーションレベルに基づいて初期化される。
【０００７】
（２）本発明の第２の態様は、基地局装置であって、下りリンク制御情報を符号化する符号化部と、下りリンク制御情報を含むＰＤＣＣＨを送信する送信部と、を備え、前記下りリンク制御情報の符号化ビットの系列は、スクランブリング系列によってスクランブル
され、前記スクランブリング系列は、少なくとも前記ＰＤＣＣＨのアグリゲーションレベルに基づいて初期化される。
【０００８】
（３）本発明の第３の態様は、端末装置の通信方法であって、下りリンク制御情報を含むＰＤＣＣＨを受信し、下りリンク制御情報を復号し、前記下りリンク制御情報の符号化ビットの系列は、スクランブリング系列によってスクランブルされ、前記スクランブリング系列は、少なくとも前記ＰＤＣＣＨのアグリゲーションレベルに基づいて初期化される。
【０００９】
（４）本発明の第４の態様は、基地局装置の通信方法であって、下りリンク制御情報を符号化し、下りリンク制御情報を含むＰＤＣＣＨを送信し、前記下りリンク制御情報の符号化ビットの系列は、スクランブリング系列によってスクランブルされ、前記スクランブリング系列は、少なくとも前記ＰＤＣＣＨのアグリゲーションレベルに基づいて初期化される。
【発明の効果】
【００１０】
この発明によれば、端末装置は効率的に下りリンク送信の受信を行うことができる。また、基地局装置は効率的に下りリンク送信を行うことができる。
【図面の簡単な説明】
【００１１】
【図１】本実施形態の無線通信システムの概念図である。
【図２】本実施形態の無線フレームの概略構成を示す図である。
【図３】本実施形態における上りリンクスロットの概略構成を示す図である。
【図４】本実施形態の端末装置１の構成を示す概略ブロック図である。
【図５】本実施形態の基地局装置３の構成を示す概略ブロック図である。
【図６】本実施形態におけるＣＯＲＥＳＥＴの一例を示す図である。
【図７】本実施形態におけるサーチスペースの一例を示す図である。
【図８】本実施形態におけるＰＤＣＣＨリソースとＰＤＳＣＨリソースの一例を示す図である。
【図９】本実施形態における端末装置１と基地局装置３の間のＰＤＳＣＨリソースのミスマッチの一例を示す図である。
【図１０】本実施形態における下りリンク制御情報に関する処理の一例を示す図である。
【図１１】本実施形態におけるＣを計算するための疑似コードの一例を示す図である。
【図１２】本実施形態における行列ｕ’を生成するための疑似コードの一例を示す図である。
【図１３】本実施形態における系列ｄｉのビットセレクションの一例を示す図である。
【発明を実施するための形態】
【００１２】
以下、本発明の実施形態について説明する。
【００１３】
図１は、本実施形態の無線通信システムの概念図である。図１において、無線通信システムは、端末装置１、および、基地局装置３を具備する。
【００１４】
以下、キャリアアグリゲーションについて説明する。
【００１５】
本実施形態では、端末装置１は、１つまたは複数のサービングセルが設定される。端末装置１が複数のサービングセルを介して通信する技術をセルアグリゲーション、またはキ
ャリアアグリゲーションと称する。端末装置１に対して設定される複数のサービングセルのそれぞれにおいて、本発明が適用されてもよい。また、設定された複数のサービングセルの一部において、本発明が適用されてもよい。複数のサービングセルは、少なくとも１つのプライマリセルを含む。複数のサービングセルは、１つ、または、複数のセカンダリセルを含んでもよい。
【００１６】
プライマリセルは、初期コネクション確立（initial connection establishment）手順が行なわれたサービングセル、コネクション再確立（connection re-establishment）手
順を開始したサービングセル、または、ハンドオーバ手順においてプライマリセルと指示されたセルである。ＲＲＣ（Radio Resource Control）コネクションが確立された時点、または、後に、セカンダリセルが設定されてもよい。
【００１７】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００１８】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００１９】
本実施形態の物理チャネルおよび物理信号について説明する。
【００２０】
端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
ＰＵＣＣＨは、下りリンクのＣＳＩ（Channel State Information）、および／または
、ＨＡＲＱ−ＡＣＫ（Hybrid Automatic Repeat reQuest）を送信するために用いられる
。ＣＳＩ、および、ＨＡＲＱ−ＡＣＫは、上りリンク制御情報（Uplink Control Information: UCI）である。
【００２１】
ＰＵＳＣＨは、上りリンクデータ（Transport block, Uplink-Shared Channel: UL-SCH）、下りリンクのＣＳＩ、および／または、ＨＡＲＱ−ＡＣＫを送信するために用いられる。ＣＳＩ、および、ＨＡＲＱ−ＡＣＫは、上りリンク制御情報（Uplink Control Information: UCI）である。端末装置１は、上りリンクグラント（uplink grant）を含むＰＤ
ＣＣＨ（Physical Downlink Control Channel）の検出に基づいてＰＵＳＣＨを送信して
もよい。
【００２２】
ＰＲＡＣＨは、ランダムアクセスプリアンブルを送信するために用いられる。
【００２３】
上りリンクの無線通信では、以下の上りリンク物理シグナルが用いられる。上りリンク物理シグナルは、上位層から出力された情報を送信するために使用されないが、物理層によって使用される。
・ＤＭＲＳ（Demodulation Reference Signal）
ＤＭＲＳは、ＰＵＣＣＨまたはＰＵＳＣＨの送信に関連する。ＤＭＲＳは、ＰＵＳＣＨと時間多重されてもよい。基地局装置３は、ＰＵＳＣＨの伝搬路補正を行なうためにＤＭ
ＲＳを使用してもよい。
【００２４】
基地局装置３から端末装置１への下りリンクの無線通信では、以下の下りリンク物理チャネルが用いられる。下りリンク物理チャネルは、上位層から出力された情報を送信するために使用される。
・ＰＤＣＣＨ（Physical Downlink Control Channel）
・ＰＤＳＣＨ（Physical Downlink Control Channel）
ＰＤＣＣＨは、下りリンク制御情報（Downlink Control Information: DCI）を送信す
るために用いられる。下りリンク制御情報を、ＤＣＩフォーマットとも称する。下りリンク制御情報は、上りリンクグラント（uplink grant）を含む。上りリンクグラントは、単一のセル内の単一のＰＵＳＣＨのスケジューリングに用いられてもよい。上りリンクグラントは、単一のセル内の複数のスロットにおける複数のＰＵＳＣＨのスケジューリングに用いられてもよい。上りリンクグラントは、単一のセル内の複数のスロットにおける単一のＰＵＳＣＨのスケジューリングに用いられてもよい。
【００２５】
ＰＤＳＣＨは、下りリンクデータ（Transport block, Downlink-Shared Channel: DL-SCH）を送信するために用いられる。
【００２６】
ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。
【００２７】
以下、本実施形態の無線フレーム（radio frame）の構成について説明する。
【００２８】
図２は、本実施形態の無線フレームの概略構成を示す図である。図２において、横軸は時間軸である。無線フレームのそれぞれは、１０ｍｓ長であってもよい。また、無線フレームのそれぞれは１０のスロットから構成されてもよい。スロットのそれぞれは、１ｍｓ長であってもよい。
【００２９】
以下、本実施形態のスロットの構成の一例について説明する。図３は、本実施形態における上りリンクスロットの概略構成を示す図である。図３において、１つのセルにおける上りリンクスロットの構成を示す。図３において、横軸は時間軸であり、縦軸は周波数軸である。上りリンクスロットはＮＵＬｓｙｍｂ個のＳＣ−ＦＤＭＡシンボルを含んでもよい。上りリンクスロットはＮＵＬｓｙｍｂ個のＯＦＤＭシンボルを含んでもよい。以下、本実施形態では、上りリンクスロットがＯＦＤＭシンボルを含む場合を用いて説明をするが、上りリンクスロットがＳＣ−ＦＤＭＡシンボルを含む場合にも本実施形態を適用することはできる。
【００３０】
図３において、ｌはＯＦＤＭシンボル番号／インデックスであり、ｋはサブキャリア番号／インデックスである。スロットのそれぞれにおいて送信される物理シグナルまたは物理チャネルは、リソースグリッドによって表現される。上りリンクにおいて、リソースグリッドは複数のサブキャリアと複数のＯＦＤＭシンボルによって定義される。リソースグリッド内のエレメントのそれぞれをリソースエレメントと称する。リソースエレメントは、サブキャリア番号／インデックスｋ、および、ＯＦＤＭシンボル番号／インデックスｌによって表される。
【００３１】
上りリンクスロットは、時間領域において、複数ＯＦＤＭシンボルｌ（ｌ＝０，１，．．．，ＮＵＬｓｙｍｂ）を含む。上りリンクにおけるノーマルＣＰ（normal Cyclic Prefix）に対して、ＮＵＬｓｙｍｂは７または１４であってもよい。上りリンクにおける拡張
ＣＰ（extended CP）に対して、ＮＵＬｓｙｍｂは６または１２であってもよい。
【００３２】
端末装置１は、上りリンクにおけるＣＰ長を示す上位層のパラメータUL-CyclicPrefixLengthを基地局装置３から受信する。基地局装置３は、セルに対応する該上位層のパラメ
ータUL-CyclicPrefixLengthを含むシステムインフォメーションを、該セルにおいて報知
してもよい。
【００３３】
上りリンクスロットは、周波数領域において、複数のサブキャリアｋ（ｋ＝０，１，．．．，ＮＵＬＲＢ・ＮＲＢＳＣ)を含む。ＮＵＬＲＢは、ＮＲＢＳＣの倍数によって表現
される、サービングセルに対する上りリンク帯域幅設定である。ＮＲＢＳＣは、サブキャリアの数によって表現される、周波数領域における（物理）リソースブロックサイズである。サブキャリア間隔Δfは１５ｋＨｚであってもよい。ＮＲＢＳＣは１２であってもよ
い。周波数領域における（物理）リソースブロックサイズは１８０ｋＨｚであってもよい。
【００３４】
１つの物理リソースブロックは、時間領域においてNULsymbの連続するＯＦＤＭシンボ
ルと周波数領域においてＮＲＢＳＣの連続するサブキャリアとから定義される。ゆえに、１つの物理リソースブロックは（ＮＵＬｓｙｍｂ・ＮＲＢＳＣ）のリソースエレメントから構成される。１つの物理リソースブロックは、時間領域において１つのスロットに対応してもよい。物理リソースブロックは周波数領域において、周波数の低いほうから順に番号ｎＰＲＢ（0,1,…, NULRB-1）が付けられてもよい。
【００３５】
本実施形態における下りリンクのスロットは、複数のＯＦＤＭシンボルを含む。本実施形態における下りリンクのスロットの構成は上りリンクと基本的に同じであるため、下りリンクのスロットの構成の説明は省略する。
【００３６】
以下、本実施形態における装置の構成について説明する。
【００３７】
図４は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベース
バンド部１３を含んで構成される。上位層処理部１４は、媒体アクセス制御層処理部１５、および、無線リソース制御層処理部１６を含んで構成される。無線送受信部１０を送信部、受信部、符号化部、復号部、または、物理層処理部とも称する。
【００３８】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線
リソース制御（Radio Resource Control: RRC）層の処理を行なう。
【００３９】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、ランダムアクセス手順の制御を行う。
【００４０】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１
６は、基地局装置３から受信した各種設定情報／パラメータを示す情報に基づいて各種設定情報／パラメータをセットする。
【００４１】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【００４２】
ＲＦ部１２は、アンテナ部１１を介して受信した信号を、直交復調によりベースバンド信号に変換し（ダウンコンバート: down covert）、不要な周波数成分を除去する。ＲＦ
部１２は、処理をしたアナログ信号をベースバンド部に出力する。
【００４３】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換
（Fast Fourier Transform: FFT）を行い、周波数領域の信号を抽出する。
【００４４】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【００４５】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【００４６】
図５は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、符号化部、復号部、または、物理層処理部とも称する。
【００４７】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００４８】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、ランダムアクセス手順の制御を行う。
【００４９】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し
、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【００５０】
無線送受信部３０の機能は、無線送受信部１０と同様であるため説明を省略する。
【００５１】
端末装置１が備える符号１０から符号１６が付された部のそれぞれは、回路として構成されてもよい。基地局装置３が備える符号３０から符号３６が付された部のそれぞれは、回路として構成されてもよい。端末装置１が備える符号１０から符号１６が付された部のそれぞれは、少なくとも１つのプロセッサと前記少なくとも１つのプロセッサと連結されるメモリとして構成されてもよい。基地局装置３が備える符号３０から符号３６が付された部のそれぞれは、少なくとも１つのプロセッサと前記少なくとも１つのプロセッサと連結されるメモリとして構成されてもよい。
【００５２】
以下、ＣＯＲＥＳＥＴ（control resource set）について説明をする。
【００５３】
図６は、本実施形態におけるＣＯＲＥＳＥＴの一例を示す図である。時間領域において、ＣＯＲＥＳＥＴはスロットの最初のＯＦＤＭシンボルに含まれてもよい。ＣＯＲＥＳＥＴは、周波数領域において連続する複数のリソースエレメントから構成されてもよい。ＣＯＲＥＳＥＴは複数のＣＣＥから構成されてもよい。１つのＣＣＥは周波数領域において連続する６つのＲＥＧから構成されてもよい。１つのＲＥＧは風波数領域において連続する１２のリソースエレメントから構成されてもよい。
【００５４】
図７は、本実施形態におけるサーチスペースの一例を示す図である。サーチスペースは、ＰＤＣＣＨ候補のセットである。ＰＤＣＣＨはＰＤＣＣＨ候補において送信される。端末装置１は、サーチスペースにおいてＰＤＣＣＨのデコードを試みる。ＰＤＣＣＨ候補は、１つまたは複数の連続するＣＣＥから構成されてもよい。ＰＤＣＣＨ候補を構成するＣＣＥの数をアグリゲーションレベルとも称する。サーチスペースはアグリゲーションレベル毎に定義されてもよい。サーチスペース７００はアグリゲーションレベルが１６であるＰＤＣＣＨ候補７０４を含む。サーチスペース７０２はアグリゲーションレベルが８であるＰＤＣＣＨ候補７０６、７０８を含む。ＰＤＣＣＨ候補７０４を構成する最も小さいインデックスのＣＣＥは、ＰＤＣＣＨ候補７０６を構成する最も小さいインデックスのＣＣＥと同じである。
【００５５】
図８は、本実施形態におけるＰＤＣＣＨリソースとＰＤＳＣＨリソースの一例を示す図である。ＰＤＣＣＨ候補７０４において送信されるＰＤＣＣＨは、ＰＤＳＣＨ８００のスケジューリングのために用いられる下りリンクアサインメントを含む。８０２はＰＤＳＣＨのために割り当てられるＯＦＤＭシンボルである。８０４はＰＤＳＣＨのために割り当てられる帯域である。基地局装置３は、ＰＤＳＣＨ８００をスケジューリングするためのＰＤＣＣＨのリソース７０４を避けて、ＰＤＳＣＨ８００のシンボルをリソースエレメントにマップする。
【００５６】
図９は、本実施形態における端末装置１と基地局装置３の間のＰＤＳＣＨリソースのミスマッチの一例を示す図である。基地局装置３が、ＰＤＣＣＨ候補７０４でＰＤＣＣＨを送信する場合、端末装置１はＰＤＣＣＨ候補７０６においてＰＤＣＣＨの復号に成功する可能性がある。その場合、基地局装置３は、８０４においてＰＤＳＣＨを送信しないが、端末装置１は、８０４においてＰＤＳＣＨが送信されると判断してしまうことがある。８０４は、ＰＤＳＣＨのために割り当てられたリソースエレメントであるが、該ＰＤＳＣＨ
をスケジューリングするためのＰＤＣＣＨの送信のために用いられるリソースエレメントである。
【００５７】
そこで、基地局装置３は、端末装置１が、ＰＤＣＣＨ候補７０４とＰＤＣＣＨ候補７０６を同時にモニタすることに基づいて、ＣＯＲＥＳＥＴを避けてＰＤＳＣＨをスケジュールしてもよい。モニタリングとは、ＤＣＩフォーマットに応じて、ＰＤＣＣＨのデコードを試みることを意味する。
【００５８】
また、基地局装置３は、端末装置１が、ＰＤＣＣＨ候補７０４とＰＤＣＣＨ候補７０６を同時にモニタすることに基づいて、ＰＤＳＣＨがリソースエレメントをマップする際にＣＯＲＥＳＥＴを避けたことを示す情報をＰＤＣＣＨで送信してもよい。
【００５９】
また、端末装置１が、ＰＤＣＣＨ候補７０４とＰＤＣＣＨ候補７０６を同時にモニタすることに基づいて、ＰＤＣＣＨ候補７０６を構成する最も小さいインデックスのＣＣＥがＰＤＣＣＨ候補７０４を構成する最も小さいインデックスのＣＣＥと異なるように、ＰＤＣＣＨ候補７０６を構成するＣＣＥを変更してもよい。
【００６０】
また、端末装置１がＰＤＣＣＨ候補７０４とＰＤＣＣＨ候補７０６を同時にモニタするように設定された場合に、端末装置１はＰＤＣＣＨ候補７０４とＰＤＣＣＨ候補７０６の何れか一方をモニタしなくてもよい。すなわち、（ｉ）ＣＯＲＥＳＥＴが１つのＯＦＤＭシンボルにマップされ、（ｉｉ）ＣＯＲＥＳＥＴの帯域幅が９６の物理リソースブロックであり、（ｉｉｉ）ＣＯＲＥＳＥＴに含まれるＣＣＥが周波数領域において連続するリソースエレメントから構成され、且つ、（ｉｖ）端末装置１がＰＤＣＣＨ候補７０４とＰＤＣＣＨ候補７０６を同時にモニタするように設定された場合に、端末装置１はＰＤＣＣＨ候補７０４とＰＤＣＣＨ候補７０６の何れか一方をモニタしなくてもよい。ここで、端末装置１は、スロットのインデックス、および／または、ＰＤＣＣＨ候補のインデックスに少なくとも基づいてモニタしないＰＤＣＣＨ候補を選択してもよい。
【００６１】
また、下りリンク制御情報の生成、下りリンク制御情報のチャネル符号化、および／または、ＰＤＣＣＨのリソースエレメントへのマッピングは、少なくともアグリゲーションレベルに基づいてもよい。
【００６２】
図１０は、本実施形態における下りリンク制御情報に関する処理の一例を示す図である。基地局装置３は、９００から９１６の処理の一部、または、全部を、下りリンク制御情報ａｉの送信のために用いられるＰＤＣＣＨのアグリゲーションレベルに基づいて実行してもよい。
【００６３】
９００において、基地局装置３は下りリンク制御情報ａｉを生成する。Ａは下りリンク制御情報のビット数である。下りリンク制御情報ａｉは、当該下りリンク制御情報ａｉの送信のために用いられるＰＤＣＣＨのアグリゲーションレベルを示す情報ｘを含んでもよい。アグリゲーションレベルが所定のアグリゲーションレベルである場合、アグリゲーションレベルを示す情報ｘは１にセットされてもよい。アグリゲーションレベルが所定のアグリゲーションレベルではない場合、アグリゲーションレベルを示す情報ｘは０にセットされてもよい。所定のアグリゲーションレベルは、１２、および、１６を少なくとも含んでもよい。所定のアグリゲーションレベル以外のアグリゲーションレベルは、１、２、３、４、６、８を少なくとも含んでもよい。
【００６４】
９０２において、基地局装置３は下りリンク制御情報ａｉからＣＲＣパリティビットを生成し、下りリンク制御情報ａｉにＣＲＣパリティビットを付加することによってビット系列ｂｉを生成する。ＢはＣＲＣパリティビットの数とＡの和である。基地局装置３は、
当該下りリンク制御情報ａｉの送信のために用いられるＰＤＣＣＨのアグリゲーションレベルに基づいて系列を選択し、選択した系列を用いてＣＲＣパリティビットをスクランブルしてもよい。アグリゲーションレベルが所定のアグリゲーションレベルである場合、第１の系列が選択されてもよい。アグリゲーションレベルが所定のアグリゲーションレベルではない場合、第２の系列が選択されてもよい。尚、９０２における処理はスキップされてもよい。
【００６５】
９０４において、基地局装置３は、ビット系列ｂｉをチャネル符号化することによって、符号化ビットｃｉを生成する。チャネル符号は、ポーラー符号、または、畳み込み符号であってもよい。Ｃはチャネル符号化ビットの数である。基地局装置３は、符号化ビットｃｉは行列ｕ’と行列Ｇ’の積によって与えられてもよい。
【００６６】
行列Ｇ’はＣ行Ｃ列の行列であり、２行２列の行列Ｇ０のｎクロネッカーパワー（n-th
Kronecker power）によって与えられてもよい。
【００６７】
行列ｕ’＝［ｕ０，ｕ１，．．．，ｕＣ−１］は１行Ｃ列の行列であり、ビット系列ｂｉに基づいて生成される。行列ｕ’は、さらに、アグリゲーションレベルを示す情報ｘに基づいて生成されてもよい。
【００６８】
図１１は、本実施形態におけるＣを計算するための疑似コードの一例を示す図である。Ｅは系列ｅｉのビット数である。Ｅはアグリゲーションレベルに基づいて与えられてもよい。Ｅは、アグリゲーションレベルと１０８の積によって与えられてもよい。ｃｅｉｌ（・）は、入力された値よりも大きい、最も小さい整数を返す関数である。ｃｅｉｌ（・）は、入力された値のうち、最も小さい値を返す関数である。すなわち、Ｃは、アグリゲーションレベルに基づいて与えられてもよい。
【００６９】
図１２は、本実施形態における行列ｕ’を生成するための疑似コードの一例を示す図である。Ｌ２からＬ６において、下りリンク制御情報ａｉの送信のために用いられるＰＤＣＣＨのアグリゲーションレベルに基づいて、アグリゲーションレベルを示す情報ｘを１または０にセットする。アグリゲーションレベルを示す情報ｘは、アグリゲーションレベルに基づいてセットされる変数ｘである。
【００７０】
Ｌ１１において、アグリゲーションレベルを示す情報ｘに基づいて生成されるパリティビットが行列ｕ’の要素ｕｎにセットされる。Ｑ’ＰＣは、パリティビットがセットされる要素ｕｎのインデックスｎのセットである。
【００７１】
Ｌ１３において、系列ｂｉの要素ｂｋが行列ｕ’の要素ｕｎにセットされる。Ｑ’は、パリティビット、または、系列ｂｉの要素ｂｋがセットされる要素ｕｎのインデックスｎのセットである。Ｑ’ＰＣはＱ’のサブセットである。
【００７２】
Ｌ１８において、アグリゲーションレベルに基づいてセットされる変数ｘが行列ｕ’の要素ｕｎにセットされる。アグリゲーションレベルに基づいてセットされる変数ｘがセットされるの要素ｕｎはＱ’以外のインデックスｎに対応する要素ｕｎである。アグリゲーションレベルに基づいてセットされる変数ｘがセットされるの要素ｕｎをフローズンビット（frozen bit）とも称する。
【００７３】
９０６において、基地局装置３は、下りリンク制御情報ａｉの送信のために用いられるＰＤＣＣＨのアグリゲーションレベルに基づいて系列ｃｉをインタリーブすることによって、系列ｄｉを生成してもよい。すなわち、基地局装置３は、下りリンク制御情報ａｉの送信のために用いられるＰＤＣＣＨのアグリゲーションレベルに基づいて系列ｃｉに適用
されるインタリーブのパターンを選択してもよい。
【００７４】
９０８において、基地局装置３は、系列ｄｉを繰り返す、または、パンクチャすることによって、系列ｅｉを生成してもよい。図１３は、本実施形態における系列ｄｉのビットセレクションの一例を示す図である。図１３の（Ａ）（Ｂ）（Ｃ）において、系列ｄｉをパンクチャすることによって系列ｅｉが生成される。図１３の（Ｄ）（Ｅ）において、系列ｄｉを繰り返すことによって系列ｅｉが生成される。
【００７５】
９１０において、基地局装置３は、下りリンク制御情報ａｉの送信のために用いられるＰＤＣＣＨのアグリゲーションレベルに基づいて系列ｅｉをインタリーブすることによって系列ｆｉを生成してもよい。すなわち、基地局装置３は、下りリンク制御情報ａｉの送信のために用いられるＰＤＣＣＨのアグリゲーションレベルに基づいて系列ｅｉに適用されるインタリーブのパターンを選択してもよい。
【００７６】
９１０において、基地局装置３は、スクランブリング系列を用いて系列ｆｉをスクランブルすることによって、系列ｇｉを生成してもよい。スクランブリング系列は、アグリゲーションレベルに基づいてセットされる変数ｘに少なくとも基づいて初期化されてもよい。スクランブリング系列は、さらに、物理層セル識別子（physical layer cell identity）に少なくとも基づいて初期化されてもよい。端末装置１は、セルサーチによって、同期信号から物理層セル識別子を取得してもよい。端末装置１は、基地局装置３から受信した情報から物理層セル識別子を取得してもよい。
【００７７】
９１４において、基地局装置３は、系列ｇｉから変調シンボル（複素数値シンボル）の系列ｈｉを生成する。９１６において、基地局装置３は、ＰＤＣＣＨ候補に対応するリソースエレメントに変調シンボルｈｉをマップする。
【００７８】
端末装置１は、９００から９１４による処理を想定し、ＰＤＣＣＨをモニタする。例えば、端末装置１は、下りリンク制御情報ａｉの送信のために用いられるＰＤＣＣＨのアグリゲーションレベルに基づいて行列ｕ’が生成されたことを想定し、ＰＤＣＣＨをモニタしてもよい。
【００７９】
以下、本実施形態における、端末装置１および基地局装置３の種々の態様について説明する。
【００８０】
（１）本実施形態の第１の態様は、端末装置１であって、下りリンク制御情報を含むＰＤＣＣＨを受信する受信部と、下りリンク制御情報を復号する復号部と、を備え、前記下りリンク制御情報の符号化ビットの系列は、スクランブリング系列によってスクランブルされ、前記スクランブリング系列は、少なくとも前記ＰＤＣＣＨのアグリゲーションレベルに基づいて初期化される。
【００８１】
（２）本実施形態の第２の態様は、基地局装置３であって、下りリンク制御情報を符号化する符号化部と、下りリンク制御情報を含むＰＤＣＣＨを送信する送信部と、を備え、前記下りリンク制御情報の符号化ビットの系列は、スクランブリング系列によってスクランブルされ、前記スクランブリング系列は、少なくとも前記ＰＤＣＣＨのアグリゲーションレベルに基づいて初期化される。
【００８２】
（３）本実施形態の第１および第２の態様において、前記下りリンク制御情報の符号化ビットの系列は行列ｕ’に基づいて生成され、行列ｕ’の要素ｕｎの一部のそれぞれは、少なくとも前記ＰＤＣＣＨのアグリゲーションレベルに基づいてセットされる。
【００８３】
これにより、端末装置１と基地局装置３は効率的に下りリンクの送受信をすることができる。
【００８４】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【００８５】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【００８６】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００８７】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００８８】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【００８９】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【００９０】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【００９１】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【００９２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【００９３】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2019075609.tif 000003
【図２】
2019075609.tif 000004
【図３】
2019075609.tif 000005
【図４】
2019075609.tif 000006
【図５】
2019075609.tif 000007
【図６】
2019075609.tif 000008
【図７】
2019075609.tif 000009
【図８】
2019075609.tif 000010
【図９】
2019075609.tif 000011
【図１０】
2019075609.tif 000012
【図１１】
2019075609.tif 000013
【図１２】
2019075609.tif 000014
【図１３】
2019075609.tif 000015